(57)【要約】【課題】暗渠用ブロック同士に多少の位置ずれが生じても、排水機能の低下を抑えることができる暗渠用ブロックを提供することを課題とする。【解決手段】暗渠用ブロック１０に、暗渠長手方向に相隣る暗渠用ブロック１０同士を互いに合決で接続するための切欠きを施し、これにより暗渠長手方向に突出した合決部１１，１１を形成する。そして、暗渠長手方向に相隣る暗渠用ブロック１０を、互いの合決部１１，１１を合決して接続する。【選択図】    図２
2004278221.tif 000002
【特許請求の範囲】
【請求項１】
地中の水を集めて排水する暗渠を形成すべく暗渠長手方向に接続して用いられる暗渠用ブロックであって、
地中の水を集排水する透水性材によって構成され、暗渠長手方向に相隣るブロック同士を互いに合決で接続するための切欠きが形成されていることを特徴とする暗渠用ブロック。
【請求項２】
請求項１に記載された暗渠用ブロックであって、
上記切欠きにより形成され暗渠長手方向に突出した合決部を補強するために、補強材が埋設されていることを特徴とする暗渠用ブロック。
【請求項３】
地中の水を集めて排水する暗渠構造であって、
地中の水を集排水する透水性材によって形成された複数の暗渠用ブロックを備え、
上記複数の暗渠用ブロックは、地中に埋設され且つ互いに合決によって接続され、
上記暗渠下流端の暗渠用ブロックの下流側の端部に、排水パイプを有する排水キャップが嵌められていることを特徴とする暗渠構造。
【発明の詳細な説明】
【０００１】
【発明の属する技術分野】
本発明は、暗渠用ブロック及び暗渠構造に関する。
【０００２】
【従来の技術】
一般的に、山などを崩して田や畑，牧草地，ゴルフ場，果樹園，運動場や団地等を造成する場合には、地盤が軟弱であると土砂崩れを起こす可能性があり、また、大雨などでは鉄砲水となって流れることがある。このような土砂崩れや鉄砲水等の災害発生や、さらには植物の根腐れなどを防止するために、暗渠を設けて雨水を浸み込ませ、この水を暗渠を通して排水できるようにすることが行なわれている。
【０００３】
上記のような暗渠として、木片とアスファルトとを混合して加圧成形した直方体ブロック本体内に有孔壁面の通水路を形成した暗渠用ブロックが知られている（例えば、特許文献１参照）。
【０００４】
【特許文献１】
実公昭６３−４３２２３号公報
【０００５】
【発明が解決しようとする課題】
しかし、上述の暗渠用ブロックでは、複数の暗渠用ブロックを連結させたときの施工不良もしくは経年変化により、連結した暗渠用ブロック同士の継目に隙間ができることがある。これにより、地表もしくは該暗渠用ブロックを通して排水される雨水が、上記隙間から直接地中に漏れ出して地盤がゆるみ土砂崩れ等を引き起こす懸念がある。
【０００６】
本発明は、上記暗渠用ブロック同士が多少の位置ずれを生じても、排水機能の低下を抑えることができる暗渠用ブロックを提供することを課題とする。
【０００７】
【課題を解決するための手段】
請求項１に係る発明は、地中の水を集めて排水する暗渠を形成すべく暗渠長手方向に接続して用いられる暗渠用ブロックであって、
地中の水を集排水する透水性材によって構成され、暗渠長手方向に相隣るブロック同士を互いに合決で接続するための切欠きが形成されていることを特徴とする。
【０００８】
従って、本発明によれば、暗渠長手方向の相隣る暗渠用ブロック同士を互いに合決で接続しているから、施工不良や経年変化により相隣る暗渠用ブロック同士が多少の位置ずれを生じても、合決部位で接続状態に保たれているため排水機能の低下を抑えることができる。
【０００９】
請求項２に係る発明は、請求項１に記載された暗渠用ブロックであって、
上記切欠きにより形成され暗渠長手方向に突出した合決部を補強するために、補強材が埋設されていることを特徴とする。
【００１０】
従って、本発明によれば、上記切欠きにより形成され暗渠長手方向に突出した合決部を補強するために補強材が埋設されているから、上記合決部を補強して該合決部の破損を防止するうえで有利となる。
【００１１】
請求項３に係る発明は、地中の水を集めて排水する暗渠構造であって、
地中の水を集排水する透水性材によって形成された複数の暗渠用ブロックを備え、
上記複数の暗渠用ブロックは、地中に埋設され且つ互いに合決によって接続され、
上記暗渠下流端の暗渠用ブロックの下流側の端部に、排水パイプを有する排水キャップが嵌められていることを特徴とする。
【００１２】
従って、本発明によれば、上記暗渠下流端の暗渠用ブロックの下流側の端部に、排水パイプを有する排水キャップが嵌められているから、該暗渠用ブロック内を通過して排水された水を該排水キャップに集めて排水パイプから排水することができ、排水による暗渠下流端周辺の土壌の浸食を防止すると共に、排水を目的の場所へ導水することができる。
【００１３】
【発明の実施の形態】
以下、本発明の実施の形態を図面に基づいて説明する。
【００１４】
＜実施形態１＞
図１は、本発明の実施形態１に係る暗渠用ブロック１０を示す。暗渠用ブロック１０には、暗渠長手方向に相隣る暗渠用ブロック１０同士を互いに合決で接続するための切欠きがなされており、これによりブロック本体１０ａから長手方向へ突出した合決部１１ａ，１１ｂが形成されている。該合決部１１ａは、ブロック本体１０ａの下半分から長手方向の一端に突出したものであり、該合決部１１ｂは、ブロック本体１０ａの上半分から長手方向の他端に突出したものである。
【００１５】
また、上記暗渠用ブロック１０には、合決部１１ａ，１１ｂのたわみ強度を確保しながら補強するために金網等の網状部材で構成された補強材１２が埋設されている。具体的には、ブロック本体１０ａの下半分から長手方向の一端に突出した合決部１１ａには、該合決部１１ａからブロック本体１０ａの長手方向全幅にわたって補強材１２が埋設されており、ブロック本体１０ａの上半分から長手方向の他端に突出した合決部１１ｂには、該合決部１１ｂからブロック本体１０ａの長手方向の略中央まで補強材１２が埋設されている。
【００１６】
なお、上記補強材１２は、金網等の網状部材に限定するものではなく、上記合決部１１ａ，１１ｂのたわみ強度を確保しながら補強するものであれば、例えば鉄筋等の棒状材であっても構わない。また、補強材１２の埋設位置は、上記埋設位置に限定するものではなく、例えば暗渠用ブロック１０の合決部１１ａ，１１ｂ共に、該合決部１１ａ，１１ｂからブロック本体１０ａの長手方向の略中央まで補強材１２が埋設されたものや、該合決部１１ａ，１１ｂ共に、該合決部１１ａ，１１ｂからブロック本体１０ａの長手方向全幅にわたって補強材１２が埋設されたものであっても構わない。
【００１７】
また、上記暗渠用ブロック１０の構成物は、木片チップ１３とセメント１４の混合物からなり、地中の水が暗渠用ブロック１０内に侵入して、暗渠長手方向に沿って水が排水されるように木片チップ１３間に隙間が設けられており透水性が確保されている。
【００１８】
なお、上記暗渠用ブロック１０の構成物は、木片チップ１３とセメント１４の混合物に限定するものではなく、地中の水を侵入させて下流に排水できる隙間が設けられて透水性が確保されているものであれば、例えば砕石とアスファルトの混合物などであっても構わない。
【００１９】
次に、上記暗渠用ブロック１０を組み合わせて法面の湧水処理に用いた暗渠構造について説明する。
【００２０】
図２に示すように、暗渠長手方向に相隣る暗渠用ブロック１０が、互いの合決部１１ａ，１１ｂを合決させて接続されている。そして、暗渠下流端の暗渠用ブロック１０の下流側の端部には、排水キャップ２０が嵌められている。
【００２１】
上記排水キャップ２０は、略直方体形状を有するキャップ本体２１と、キャップ本体２１の下流側の端面の略中央に結合され下流側に延びる排水パイプ２２とを備えている。該排水キャップ２０のキャップ本体２１に開口した開口部２３は、暗渠用ブロック１０の長手方向と直交する断面よりも大きく開口し、その深さは暗渠用ブロック１０の合決部１１の長手方向の突出よりも深くなるように形成されており、該排水キャップ２０を暗渠用ブロック１０の下流側の端部に嵌めたときに、該合決部１１ａが排水キャップ２０により覆い隠されるようになっている。また、該排水パイプ２２と開口部２３とは連通しており、暗渠用ブロック１０から排水された水が該開口部２３を通してキャップ本体２１に集水され、該キャップ本体２１に集められた水が排水パイプ２２から排水されるようになっている。
【００２２】
また、上記暗渠用ブロック１０の設置現場となる法面１には、暗渠用ブロック１０を設置可能な幅及び深さを持つ設置溝２が掘られており、該設置溝２内に上記複数の暗渠用ブロック１０と排水キャップ２０とを埋設し、暗渠長手方向に相隣る暗渠用ブロック１０，１０の互いの合決部１１ａ，１１ｂを連結するように該合決部１１の上面からアンカー１６，１６が打ち込まれている。該アンカー１６，１６は、該合決部１１ａ，１１ｂを貫通して設置溝２に係合され、これにより暗渠用ブロック１０，１０が設置溝２内に固定されている。
【００２３】
そして、図３に示すように、法面１に設けられた設置溝２の上面を覆うようにラス網３が敷設され、その上からモルタル４が吹き付けられている。なお、緑化推進のために、モルタル４の代わりに厚層基材を吹き付けても構わない。
【００２４】
以上により、地中の水を複数の暗渠用ブロック１０を通して排水し、暗渠下流端の暗渠用ブロック１０の下流側の端部に嵌められた排水キャップ２０に集めて、該排水キャップ２０に設けられた排水パイプ２２から排水溝５に排水する暗渠が形成されている。
【００２５】
＜実施形態２＞
図４は、本発明の実施形態２に係る暗渠用ブロック３０を示す。暗渠用ブロック３０には、暗渠長手方向に相隣る暗渠用ブロック３０同士を互いに合決で接続するための切欠きがなされており、これによりブロック本体３０ａから長手方向へ突出した合決部３１，３１が形成されている。該合決部３１，３１は、該ブロック本体３０ａの下半分から長手方向の両外側へ突出したものである。また、上記暗渠用ブロック３０には、合決部３１，３１のたわみ強度を確保しながら補強するために金網等の網状部材で構成された補強材３２が埋設されている。具体的には、ブロック本体３０ａの下半分から長手方向の両外側に突出した合決部３１，３１に、該合決部３１からブロック本体３０ａの長手方向全幅にわたって補強材３２が埋設されている。
【００２６】
なお、上記補強材３２は、金網等の網状部材に限定するものではなく、上記合決部３１，３１のたわみ強度を確保しながら補強するものであれば、例えば鉄筋等の棒状材であっても構わない。また、補強材３２の埋設位置は、上述のように上記合決部３１，３１からブロック本体３０ａの長手方向全幅にわたって埋設されたものに限定するものではなく、該ブロック本体１０ａの長手方向の略中央において補強材３２が分断されて埋設されているものであっても構わない。また、暗渠用ブロック３０の構成物は、実施形態１と同様である。
【００２７】
次に、暗渠用ブロック３０を組み合わせて法面の湧水処理に用いた暗渠構造について説明する。
【００２８】
図５に示すように、暗渠長手方向に相隣る暗渠用ブロック３０が、互いの合決部３１，３１を合決させて接続されている。そして、暗渠下流端の暗渠用ブロック３０の下流側の端部には、実施形態１と同様の排水キャップ２０が嵌められている。その他の構成は、実施形態１と同様である。
【００２９】
なお、実施形態１，２に記載した暗渠用ブロック１０，３０は、法面の湧水処理にのみ用いるものではなく、平地における排水処理に用いても構わない。そして、平地に対して上記暗渠用ブロック１０又は３０を施工する場合には、設置溝２に傾斜を持たせて上記暗渠用ブロック１０又は３０を埋設し、排水が下流側にスムーズに流れるようにするのが好ましい。
【００３０】
【発明の効果】
請求項１に係る発明によれば、暗渠長手方向の相隣る暗渠用ブロック３０同士を互いに合決で接続しているから、施工不良や経年変化により相隣る暗渠用ブロック同士が多少の位置ずれを生じても、合決部位で接続状態に保たれているため排水機能の低下を抑えることができる。
【００３１】
請求項２に係る発明によれば、請求項１に記載された暗渠用ブロックであって、上記切欠きにより形成され暗渠長手方向に突出した合決部を補強するために補強材が埋設されているから、上記合決部を補強して該合決部の破損を防止するうえで有利となる。
【００３２】
請求項３に係る発明によれば、暗渠下流端の暗渠用ブロックの下流側の端部に、排水パイプを有する排水キャップが嵌められているから、該暗渠用ブロック内を通過して排水された水を該排水キャップに集めて排水パイプから排水することができ、排水による暗渠下流端周辺の土壌の浸食を防止すると共に、排水を目的の場所へ導水することができる。
【図面の簡単な説明】
【図１】本実施形態１に係る暗渠用ブロックを示す斜視図。
【図２】本実施形態１に係る暗渠構造を示す斜視図。
【図３】本実施形態１に係る暗渠構造を示す断面図。
【図４】本実施形態２に係る暗渠用ブロックを示す斜視図。
【図５】本実施形態２に係る暗渠構造を示す斜視図。
【符号の説明】
１    法面
２    設置溝
３    ラス網
４    モルタル
５    排水溝
１０    暗渠用ブロック
１０ａ  ブロック本体
１１    合決部
１２    補強材
１３    木片チップ
１４    セメント
１６    アンカー
２０    排水キャップ
２１    キャップ本体
２２    排水パイプ
２３    開口部
３０    暗渠用ブロック
３０ａ  ブロック本体
３１    合決部
３２    補強材
【図１】
2004278221.tif 000003
【図２】
2004278221.tif 000004
【図３】
2004278221.tif 000005
【図４】
2004278221.tif 000006
【図５】
2004278221.tif 000007